(57)【要約】【課題】簡易な構成で電動工具の操作性の低下を抑制すること。【解決手段】バッテリ装置２０は、電動工具のバッテリ装着部に装着されるアダプタ２４と、バッテリに接続されるケーブル２５と、ケーブル２５の一方の端部を保持する保持部材４０と、アダプタ２４に配置され、保持部材４０を回動可能に支持する支持部材３０と、支持部材３０の周面に配置された第一突起部３５と、支持部材３０の周面と対向する、保持部材４０の外周面に配置された第二突起部４４と、を備え、第一突起部３５と第二突起部４４とが接触することによって、保持部材４０の回動範囲を規制する。【選択図】図３
2020021657.tif 000002
【特許請求の範囲】
【請求項１】
電動工具のバッテリ装着部に装着されるアダプタと、
バッテリに接続されるケーブルと、
前記ケーブルの一方の端部を保持する保持部材と、
前記アダプタに配置され、前記保持部材を回動可能に支持する支持部材と、
前記支持部材の周面に配置された第一突起部と、
前記支持部材の周面と対向する、前記保持部材の周面に配置された第二突起部と、
を備え、
前記第一突起部と前記第二突起部とが接触することによって、前記保持部材の回動範囲を規制する、
バッテリ装置。
【請求項２】
前記第二突起部は、前記保持部材の周面の周方向に離間して複数配置される、
請求項１に記載のバッテリ装置。
【請求項３】
電動工具のバッテリ装着部に装着されるアダプタと、
バッテリに接続されるケーブルと、
前記ケーブルの一方の端部を保持する保持部材と、
前記アダプタに配置され、前記保持部材を回動可能に支持する支持部材と、
を備え、
前記保持部材の内部において、前記ケーブルは、出口と反対側へ迂回してから前記出口から引き出される、
バッテリ装置。
【請求項４】
前記保持部材の内部において、前記出口と反対側に配置され、前記ケーブルを係止可能なリブ部、
を備える請求項３に記載のバッテリ装置。
【請求項５】
前記アダプタは、スライド機構を介して前記バッテリ装着部に装着される、
請求項１から４のいずれか１項に記載のバッテリ装置。
【請求項６】
電動工具の第一バッテリ装着部に装着される第一アダプタと、
前記電動工具の第二バッテリ装着部に装着される第二アダプタと、
バッテリに接続される第一ケーブルと、
前記第一アダプタと前記第二アダプタとを電気的に接続する第二ケーブルと、
前記第一ケーブルの一方の端部と、前記第二ケーブルの一方の端部とを保持する第一保持部材と、
前記第二ケーブルの他方の端部を保持する第二保持部材と、
前記第一アダプタに配置され、前記第一保持部材を回動可能に支持する第一支持部材と、
前記第二アダプタに配置され、前記第二保持部材を回動可能に支持する第二支持部材と、
を備えるバッテリ装置。
【請求項７】
前記第一アダプタは、スライド機構を介して前記第一バッテリ装着部に装着され、
前記第二アダプタは、スライド機構を介して前記第二バッテリ装着部に装着される、
請求項６に記載のバッテリ装置。
【請求項８】
前記第一支持部材の周面に配置された第一突起部と、
前記第一支持部材の周面と対向する、前記第一保持部材の周面に配置された第二突起部と、
を備え、
前記第一突起部と前記第二突起部とが接触することによって、前記第一保持部材の回動範囲を規制する、
請求項６または７に記載のバッテリ装置。
【発明の詳細な説明】
【技術分野】
【０００１】
本発明は、バッテリ装置に関する。
【背景技術】
【０００２】
バッテリと接続可能なバッテリ側ユニットと、電動工具と接続可能な電動工具側ユニットと、バッテリ側ユニットと電動工具側ユニットとを接続する電気ケーブルとを備えるバッテリアダプタ装置が知られている（例えば、特許文献１参照。）。特許文献１に記載の技術では、電動工具側ユニットと電気ケーブルとのケーブル接続部が傾動自在である。
【先行技術文献】
【特許文献】
【０００３】
【特許文献１】特開２０１７−２０２５３７号公報
【発明の概要】
【発明が解決しようとする課題】
【０００４】
電動工具の使用中にケーブルが自由に動くと、ケーブルが不用意な方向に回動して、ユーザの作業を阻害したり、他の工具などに接触したりするおそれがある。ところが、ケーブルの回動を規制するために、ケーブルの位置を保持する機構を設けると、構成が複雑になる。
【０００５】
本発明の態様は、簡易な構成で電動工具の操作性の低下を抑制することを目的とする。
【課題を解決するための手段】
【０００６】
本発明の態様に従えば、電動工具のバッテリ装着部に装着されるアダプタと、バッテリに接続されるケーブルと、前記ケーブルの一方の端部を保持する保持部材と、前記アダプタに配置され、前記保持部材を回動可能に支持する支持部材と、前記支持部材の周面に配置された第一突起部と、前記支持部材の周面と対向する、前記保持部材の周面に配置された第二突起部と、を備え、前記第一突起部と前記第二突起部とが接触することによって、前記保持部材の回動範囲を規制する、バッテリ装置が提供される。
【０００７】
本発明の態様に従えば、電動工具のバッテリ装着部に装着されるアダプタと、バッテリに接続されるケーブルと、前記ケーブルの一方の端部を保持する保持部材と、前記アダプタに配置され、前記保持部材を回動可能に支持する支持部材と、を備え、前記保持部材の内部において、前記ケーブルは、出口と反対側へ迂回してから前記出口から引き出される、バッテリ装置が提供される。
【０００８】
本発明の態様に従えば、電動工具の第一バッテリ装着部に装着される第一アダプタと、前記電動工具の第二バッテリ装着部に装着される第二アダプタと、バッテリに接続される第一ケーブルと、前記第一アダプタと前記第二アダプタとを電気的に接続する第二ケーブルと、前記第一ケーブルの一方の端部と、前記第二ケーブルの一方の端部とを保持する第一保持部材と、前記第二ケーブルの他方の端部を保持する第二保持部材と、前記第一アダプタに配置され、前記第一保持部材を回動可能に支持する第一支持部材と、前記第二アダプタに配置され、前記第二保持部材を回動可能に支持する第二支持部材と、を備えるバッテリ装置が提供される。
【発明の効果】
【０００９】
本発明の態様によれば、簡易な構成で電動工具の操作性の低下を抑制することができる。
【図面の簡単な説明】
【００１０】
【図１】図１は、第一実施形態に係るバッテリ装置の使用例を模式的に示す概略図である。
【図２】図２は、第一実施形態に係るバッテリ装着部及びアダプタの一例を模式的に示す斜視図である。
【図３】図３は、第一実施形態に係るアダプタの一例を示す側断面図である。
【図４】図４は、第一実施形態に係るバッテリ装置の一例を模式的に示す斜視図である。
【図５】図５は、第一実施形態に係るバッテリ装着部及びアダプタの一例を示す斜視図である。
【図６】図６は、第一実施形態に係る連結機構の一例を示す斜視図である。
【図７】図７は、第一実施形態に係る連結機構の一例を示す断面図である。
【図８】図８は、第一実施形態に係る保持部材の一例を示す平面図である。
【図９】図９は、第一実施形態に係る支持部材の一例を下方から見た図である。
【図１０】図１０は、第一実施形態に係る連結機構の動作を説明するための側断面図である。
【図１１】図１１は、第一実施形態に係る連結機構の動作を説明するための側断面図である。
【図１２】図１２は、第一実施形態に係る連結機構の動作を説明するための側断面図である。
【図１３】図１３は、第一実施形態に係るアダプタの一例を示す分解斜視図である。
【図１４】図１４は、第二実施形態に係るバッテリ装置の一例を模式的に示す側面図である。
【図１５】図１５は、保持部材の他の例を示す平面図である。
【発明を実施するための形態】
【００１１】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１２】
以下の説明においては、Ｘ軸方向を、「前後方向」とする。Ｙ軸方向を、「上下方向」とする。Ｙ軸方向とは、Ｘ軸方向に対して直交する方向である。Ｚ軸方向を、「左右方向」とする。Ｚ軸方向とは、Ｘ軸方向に対して水平面内において直交する方向である。前後方向「前」側へ向かって、左手側が「左」、右手側が「右」である。
【００１３】
［第一実施形態］
図１は、第一実施形態に係るバッテリ装置の使用例を模式的に示す概略図である。図２は、第一実施形態に係るバッテリ装着部及びアダプタの一例を模式的に示す斜視図である。バッテリ装置２０は、電動工具１０に接続され、電動工具１０に電力を供給する。
【００１４】
電動工具１０は、例えば、インパクトドライバである。なお、電動工具１０は、インパクトドライバに限定されない。電動工具１０として、ドライバードリル、丸鋸、ジグソー、チェーンソー、刈払機、釘打ち機、ハンマ、ヘッジトリマ、グラインダー、ブロワ、及びその他の電動工具が例示される。
【００１５】
電動工具１０は、工具本体部１１と、工具本体部１１の下部に配置されるグリップ部１２と、グリップ部１２の下部に配置されるバッテリ装着部１３と、例えば、ドライバビットのような工具１４とを備える。
【００１６】
工具本体部１１は、工具１４を駆動する。工具本体部１１は、ケース１５と、ケース１５の内部に収容される電動モータ、ギヤ機構、及び回転打撃機構とを有する。回転打撃機構の出力軸の先端部が、ケース１５から前方に突出する。回転打撃機構の出力軸の先端部に、工具装着部１６が配置される。工具装着部１６に、工具１４が装着される。
【００１７】
グリップ部１２は、電動工具１０のユーザＷＭが把持する把持部である。グリップ部１２は、ケース１７と、ケース１７の内部に収容されるメインスイッチとを有する。グリップ部１２の前部に、トリガが配置される。トリガは、ユーザＷＭによって操作される。トリガが操作されると、メインスイッチが操作され、電動モータが作動する。電動モータで発生した動力は、ギヤ機構を介して回転打撃機構に伝達される。回転打撃機構は、工具装着部１６に装着される工具１４を駆動する。
【００１８】
バッテリ装着部１３は、バッテリ装置２０のアダプタ２４が装着される。バッテリ装着部１３は、アダプタ２４と通電可能に接続される工具側接続端子を有する。バッテリ装着部１３は、スライド機構８０を有する。スライド機構８０は、スライド部材８１をスライド方向にガイドするガイド部材８２を有する。バッテリ装着部１３は、残量表示部１８を有する。残量表示部１８は、バッテリ装置２０を介してバッテリ２１が接続されている間、バッテリ２１のバッテリ残量を表示する。バッテリ残量は、すべてのバッテリ２１のバッテリ残量を合わせて表示してもよいし、各バッテリ２１のバッテリ残量を個別に表示してもよい。
【００１９】
バッテリ装置２０は、電動工具１０に電力を供給する。バッテリ装置２０は、電動工具１０のバッテリ装着部１３に装着可能である。バッテリ装置２０は、バッテリ２１と背負部２２とを含む本体ユニット２３と、アダプタ２４と、ケーブル２５と、アダプタ２４とケーブル２５とを回動可能に連結する連結機構１００とを備える。なお、アダプタ２４とケーブル２５と連結機構１００とを含む構成が、バッテリ用アダプタ装置である。
【００２０】
バッテリ２１は、電動工具１０の電源として機能する。バッテリ２１は、複数のバッテリセルを有するリチウムイオンバッテリである。バッテリ２１は、充電式バッテリである。バッテリ２１は、充電器で充電可能である。バッテリ２１は、ケーブル２５及びアダプタ２４を介して電動工具１０に通電可能に接続される。バッテリ２１は、バッテリ装着部１３に直接的に装着可能である。バッテリ２１は、バッテリ装着部１３に装着された状態で、電動工具１０に電力を供給する。
【００２１】
背負部２２は、ショルダーベルト部２２１と、収容部２２２とを有する。ショルダーベルト部２２１は、ユーザＷＭの肩に掛けられるベルトである。収容部２２２は、袋状に形成される。収容部２２２は、バッテリ２１を内部に収容する。収容部２２２の内部に収容されるバッテリ２１は、１個でもよいし複数個でもよい。バッテリ２１は、収容部２２２の内部に配置される電源回路と通電可能に接続される。
【００２２】
このように構成されたバッテリ２１と背負部２２とを含む本体ユニット２３は、電動工具１０に電力を供給する。本体ユニット２３は、ユーザＷＭの背中に背負われる。
【００２３】
図１ないし図７を用いて、アダプタ２４について説明する。図３は、第一実施形態に係るアダプタの一例を示す側断面図である。図４は、第一実施形態に係るバッテリ装置の一例を模式的に示す斜視図である。図５は、第一実施形態に係るバッテリ装着部及びアダプタの一例を示す斜視図である。図６は、第一実施形態に係る連結機構の一例を示す斜視図である。図７は、第一実施形態に係る連結機構の一例を示す断面図である。アダプタ２４は、いわゆるダミーバッテリである。アダプタ２４は、電動工具１０の電源として機能せず、バッテリ２１からの電力を電動工具１０に送る中継器として機能する。アダプタ２４は、電動工具１０のバッテリ装着部１３に装着される。バッテリ装着部１３に装着されたアダプタ２４は、電動工具１０と通電可能である。アダプタ２４の外形及び寸法とバッテリ２１の外形及び寸法とは実質的に同一である。アダプタ２４は、バッテリセルを有してなく、バッテリ２１よりも軽量である。
【００２４】
アダプタ２４は、バッテリ装着部１３と通電可能に接続されるアダプタ側接続端子９２を有する。また、アダプタ２４は、バッテリ装着部１３と信号を送受信する信号端子９３を有する。アダプタ２４がバッテリ装着部１３に装着されることにより、バッテリ装着部１３の工具側接続端子と、アダプタ２４のアダプタ側接続端子９２とが通電可能に接続される。バッテリ装着部１３の工具側信号端子と、アダプタ２４の信号端子９３とが信号を送受信可能に接続される。
【００２５】
アダプタ２４は、バッテリ装着部１３に着脱可能に装着される。アダプタ２４は、ハウジング５０と、ハウジング５０の内部に収容される電気回路及び電気ケーブルとを有する。ハウジング５０は、下面５１と、前面５２と、後面５３と、右側面５４と、左側面５５と、上面５６とを有する。下面５１には、Ｘ軸方向に沿って開口５７が配置される。開口５７は、保持部材４０がアダプタ２４に対して回動するスペースである。
【００２６】
アダプタ２４は、スライド機構８０を介してバッテリ装着部１３に装着される。アダプタ２４にスライド部材８１が配置される。
【００２７】
アダプタ２４は、バッテリ装着部１３に配置されたガイド部材８２にガイドされ、バッテリ装着部１３をスライド方向の一方側に移動する。これにより、アダプタ２４は、バッテリ装着部１３に装着される。アダプタ２４がバッテリ装着部１３に装着されると、アダプタ側接続端子９２がバッテリ装着部１３の工具側接続端子に接続される。これにより、アダプタ２４の電気回路及び電気ケーブルと電動工具１０とは通電可能に接続される。アダプタ２４と電動工具１０とが通電可能に接続されると、本体ユニット２３のバッテリ２１が、ケーブル２５及びアダプタ２４を介して電動工具１０に通電可能に接続される。これにより、バッテリ２１から電動工具１０に電力が供給される。
【００２８】
アダプタ２４は、ガイド部材８２にガイドされ、バッテリ装着部１３をスライド方向の他方側に移動する。これにより、アダプタ２４は、バッテリ装着部１３から取り外される。アダプタ２４がバッテリ装着部１３から取り外されると、アダプタ側接続端子９２と工具側接続端子との接続が解除される。これにより、バッテリ２１から電動工具１０への電力の供給が停止される。
【００２９】
ケーブル２５は、バッテリ２１に接続される。ケーブル２５は、複数の芯線２６（図９参照）を絶縁体で被覆して形成される。ケーブル２５は、バッテリ２１とアダプタ２４とを通電可能に接続する。ケーブル２５は、バッテリ２１からの電力をアダプタ２４を介して電動工具１０に供給する。ケーブル２５は、バッテリ２１からの信号をアダプタ２４を介して電動工具１０に出力する。ケーブル２５の一方の端部と反対側の他方の端部は、図示しないコネクタを介して本体ユニット２３のバッテリ２１に接続される。ケーブル２５の一方の端部は、芯線２６及び連結機構１００を介してアダプタ２４に接続される。
【００３０】
ケーブル２５は、コネクタを介して本体ユニット２３に着脱可能に接続される。コネクタは、収容部２２２に配置される第一コネクタと、ケーブル２５の他方の端部に配置される第二コネクタとを含む。第一コネクタは、凸部を含むオス型のコネクタである。第二コネクタは、凹部を含むメス型のコネクタである。第一コネクタが第二コネクタに挿入されると、ケーブル２５と収容部２２２の内部に収容されるバッテリ２１とが通電可能に接続される。第一コネクタが第二コネクタから取り外されると、ケーブル２５と収容部２２２の内部に収容されるバッテリ２１とが分離して、電気的な接続が解除される。
【００３１】
図８を用いて、芯線２６について説明する。図８は、第一実施形態に係る保持部材の一例を示す平面図である。芯線２６は、被覆を剥離したケーブル２５の一方の端部から引きだされる。芯線２６は、ケーブル２５と、ハウジング５０の内部に収容される電気回路及び電気ケーブルと接続する。芯線２６は、保持部材４０の内部において、保持部材４０の第二保持部４２の他方の端部４６側を迂回してから保持部材４０の出口から引き出される。芯線２６は、保持部材４０の内部において緩んだ状態で配置される。芯線２６の長さは、ケーブル２５の一方の端部と電気回路及び電気ケーブルとの距離より長い。芯線２６は、支持部材３０に対して保持部材４０が回動したときに、過度な張力が作用することが抑制される。
【００３２】
連結機構１００は、アダプタ２４とケーブル２５とを連結する。連結機構１００は、支持部材３０と、保持部材４０とを含む。より詳しくは、連結機構１００は、回転軸ＡＸを中心に支持部材３０に対して回動可能に保持部材４０を支持する。回転軸ＡＸに平行な軸とバッテリ２１のスライド方向とは直交する。
【００３３】
支持部材３０は、保持部材４０をアダプタ２４に対して回動可能に保持する。支持部材３０は、アダプタ２４に配置される。支持部材３０は、基部３１と、支持部３３とを有する。支持部材３０は、ハウジング５０の開口５７に面して配置される。
【００３４】
基部３１は、ブロック状に形成される。基部３１は、ハウジング５０の内部に固定される。基部３１は、補強のために複数のリブ３１１が形成される。基部３１の上面側は、リブ３１１によって格子状になっている。基部３１には、排水孔３１２が形成される。排水孔３１２は、スリット３６から基部３１の上面側の格子状の部分に侵入した液体を排出する。
【００３５】
図３、図６、図７、図９を用いて、支持部３３について説明する。図９は、第一実施形態に係る支持部材の一例を下方から見た図である。支持部３３は、回転軸ＡＸを中心に支持部材３０に対して回動可能に保持部材４０を支持する。支持部３３は、保持部材４０の回動範囲を規制する。支持部３３は、基部３１の下部に配置される。支持部３３は、ハウジング５０の開口５７に面して配置される。支持部３３は、保持部材４０を回動可能に保持する。支持部３３は、第一支持部３４と、第二支持部３７とを有する。
【００３６】
第一支持部３４は、支持部３３のＺ軸方向の中間部に配置される。第一支持部３４は、保持部材４０の第二保持部４２のＺ軸方向の中間部を保持する。第一支持部３４は、第二保持部４２より大きい曲率半径を有する湾曲面状に形成される。第一支持部３４は、１つの第一突起部３５が配置される。
【００３７】
第一突起部３５は、第一支持部３４の周面から径方向内側に突出する。第一突起部３５は、保持部材４０の第二保持部４２の第二突起部４４と接触可能である。第一突起部３５は、第一支持部３４のＸ軸方向の中間部に配置される。第一突起部３５は、Ｚ軸方向に沿った軸を有する半円柱状に形成される。第一突起部３５の径方向の高さは、ケーブル２５の自重程度の力が作用したとき、第二突起部４４が第一突起部３５を乗り越えない程度の高さである。第一突起部３５の径方向の高さは、ユーザＷＭが力を加えると、第二突起部４４が第一突起部３５を乗り越える程度の高さである。
【００３８】
スリット３６は、ユーザＷＭが連結機構１００に力を加えた際に、第一支持部３４が撓んで変形しやすくする。スリット３６は、第一支持部３４と第二支持部３７との間に配置される。スリット３６は、Ｘ軸方向に沿って形成される。
【００３９】
第二支持部３７は、第一支持部３４の＋Ｚ側と−Ｚ側とに配置される。言い換えると、第二支持部３７は、Ｚ軸方向において第一支持部３４の両側に配置される。第二支持部３７は、保持部材４０の第二保持部４２を保持する。第二支持部３７は、第二保持部４２と同じ曲率半径を有する湾曲面状に形成される。
【００４０】
図３、図６ないし図８を用いて、保持部材４０について説明する。保持部材４０は、支持部材３０に回動可能に支持される。保持部材４０は、ケーブル２５の一方の端部を保持する。保持部材４０は、支持部３３を介してアダプタ２４に連結される。保持部材４０は、開口５７において回転軸ＡＸを中心に回動する。保持部材４０は、第一保持部４１と、第二保持部４２とを有する。
【００４１】
第一保持部４１は、円筒状に形成される。第一保持部４１は、内部にケーブル２５を保持する。第一保持部４１の中心軸は、回転軸ＡＸと直交する。
【００４２】
第二保持部４２は、円筒状に形成される。第二保持部４２は、第一保持部４１と連通する。第二保持部４２の中心軸は、回転軸ＡＸと平行である。第二保持部４２の中心軸は、第一保持部４１の中心軸と直交する。第二保持部４２は、回転軸ＡＸを中心に支持部材３０に回動可能に保持される。第二保持部４２の外周面は、支持部材３０の第一支持部３４の周面と第二支持部３７の周面と対向する。第二保持部４２は、内部に芯線２６を保持する。第二保持部４２の出口となる一方の端部４５から、芯線２６が引き出される。第二保持部４２は、軸方向の中央より他方の端部４６側に、少なくとも１つのリブ４３を有する。第二保持部４２は、外周面に複数の第二突起部４４を有する。
【００４３】
リブ４３は、第二保持部４２の内周面から径方向内側に突出する。リブ４３は、第二保持部４２において他方の端部４６側に配置される。リブ４３は、ケーブル２５から引き出された芯線２６を係止する。リブ４３は、芯線２６を第二保持部４２の内部において迂回させる。
【００４４】
第二突起部４４は、第二保持部４２の外周面に周方向に離間して２つ配置される。第二突起部４４は、Ｚ軸方向に沿った軸を有する半円柱状に形成される。２つの第二突起部４４は、各第二突起部４４と第二保持部４２の中心とを結んだ線分の角度が、例えば、３０°以上、９０°以下となるように配置される。第二突起部４４と第一突起部３５とが接触することによって、保持部材４０の回動範囲を規制する。第二突起部４４の径方向の高さは、ケーブル２５の自重程度の力が作用したとき、第一突起部３５を乗り越えない程度の高さである。第二突起部４４の径方向の高さは、ユーザＷＭが力を加えると、第一突起部３５を乗り越える程度の高さである。
【００４５】
このように構成された保持部材４０は、回転軸ＡＸを中心に１８０°程度回転可能に支持部材３０によって支持される。保持部材４０は、アダプタ２４に対して１８０°程度回転する。
【００４６】
第二突起部４４は、第一突起部３５と接触することによって、保持部材４０の回動範囲が規制される。ここでは、２つの第二突起部４４を区別するために、第二突起部４４1と、第二突起部４４2として説明する。本実施形態では、１つの第一突起部３５と、第二突起部４４1と、第二突起部４４2とによって、保持部材４０の回動範囲を３つの範囲とする。
【００４７】
図１０ないし図１２を用いて、保持部材４０の３つの回動範囲について説明する。図１０は、第一実施形態に係る連結機構の動作を説明するための側断面図である。図１１は、第一実施形態に係る連結機構の動作を説明するための側断面図である。図１２は、第一実施形態に係る連結機構の動作を説明するための側断面図である。図１０に示すように、第一回動範囲Ａ１は、第二突起部４４1が第一突起部３５より＋Ｘ側に位置付けられた状態における、保持部材４０の回動範囲である。図１１に示すように、第二回動範囲Ａ２は、第二突起部４４1と第二突起部４４2との間に第一突起部３５が位置付けられた状態における、保持部材４０の回動範囲である。図１２に示すように、第三回動範囲Ａ３は、第二突起部４４2が第一突起部３５より＋Ｘ側に位置付けられた状態における、保持部材４０の回動範囲である。
【００４８】
図１３を用いて、バッテリ装置２０の組み立てについて説明する。図１３は、第一実施形態に係るアダプタの一例を示す分解斜視図である。アダプタ２４のハウジング５０の内部に、支持部材３０が組み付けられる。組み付けられた支持部材３０の支持部３３は、開口５７において下方に向かって露出する。また、ケーブル２５が第一保持部４１で保持され、芯線２６が第二保持部４２で保持される。保持部材４０が、ハウジング５０の開口５７を介して、支持部材３０に嵌合される。例えば、バッテリ装置２０を装着する電動工具１０に応じて、または、電動工具１０を使用する姿勢に応じて、保持部材４０のアダプタ２４に対する回動範囲が設定されて、第二突起部４４と第一突起部３５との位置関係が設定される。
【００４９】
次に、本実施形態に係る連結機構１００の動作及び作用について説明する。ユーザＷＭは、重量なバッテリ２１を含む本体ユニット２３を背負部２２で背負う。ケーブル２５の他方の端部は、コネクタを介して本体ユニット２３のバッテリ２１に接続され、一方の端部は、芯線２６及び連結機構１００を介してアダプタ２４に接続される。
【００５０】
保持部材４０の回動範囲を、第一回動範囲Ａ１に設定する場合について説明する。例えば、ケーブル２５を前方に引き出したい場合、保持部材４０の回動範囲を、第一回動範囲Ａ１に設定する。図１０に示すように、第二突起部４４1は、第一突起部３５より−Ｘ側に位置付けられる。図１０（Ａ）に示すように、第一保持部４１の外周面が、ハウジング５０の開口５７を規定する壁面５７Ｆに接触すると、保持部材４０の時計回りの回動が規制される。図１０（Ｂ）に示すように、第一突起部３５の−Ｘ側に第二突起部４４1が接触すると、保持部材４０の反時計回りの回動が規制される。このように、保持部材４０は、第一回動範囲Ａ１においてアダプタ２４に対して回動可能である。
【００５１】
保持部材４０の回動範囲を、第二回動範囲Ａ２に設定する場合について説明する。例えば、ケーブル２５を下方に引き出したい場合、保持部材４０の回動範囲を、第二回動範囲Ａ２に設定する。図１１に示すように、第二突起部４４1と第二突起部４４2との間に第一突起部３５が位置付けられる。図１１（Ａ）に示すように、第一突起部３５の＋Ｘ側に第二突起部４４1が接触すると、保持部材４０の時計回りの回動が規制される。図１１（Ｂ）に示すように、第一突起部３５が第二突起部４４1と第二突起部４４2との間に位置していると、保持部材４０は回動自在である。図１１（Ｃ）に示すように、第一突起部３５の−Ｘ側に第二突起部４４2が接触すると、保持部材４０の反時計回りの回動が規制される。このように、保持部材４０は、第二回動範囲Ａ２においてアダプタ２４に対して回動可能である。
【００５２】
保持部材４０の回動範囲を、第三回動範囲Ａ３に設定する場合について説明する。例えば、ケーブル２５を後方に引き出したい場合、保持部材４０の回動範囲を、第三回動範囲Ａ３に設定する。図１２に示すように、第二突起部４４2は、第一突起部３５より＋Ｘ側に位置付けられる。図１２（Ａ）に示すように、第一突起部３５の＋Ｘ側に第二突起部４４2が接触すると、保持部材４０の時計回りの回動が規制される。図１２（Ｂ）に示すように、第一保持部４１の外周面が、ハウジング５０の開口５７を規定する壁面５７Ｆに接触すると、保持部材４０の反時計回りの回動が規制される。このように、保持部材４０は、第三回動範囲Ａ３においてアダプタ２４に対して回動可能である。また、保持部材４０は、支持部材３０によって回動範囲が規制される。
【００５３】
したがって、ユーザＷＭが電動工具１０を様々な方向に向けながら使用した場合においても、回動範囲を規制することによって、保持部材４０が他の工具などに接触することが規制される。しかも、保持部材４０が回動するので、電動工具１０の使用中にケーブル２５が過度に屈曲することが抑制される。そのため、屈曲したケーブル２５により電動工具１０に力が作用することが抑制され、電動工具１０の操作性の低下が抑制される。また、ケーブル２５が過度に屈曲することが抑制されるため、ケーブル２５の劣化または損傷が抑制される。
【００５４】
ケーブル２５の自重、または、電動工具１０を用いた作業時におけるユーザＷＭの通常の動作によっては、第二突起部４４1または第二突起部４４2は、第一突起部３５を乗り越えない。ユーザＷＭが保持部材４０に力を加えると、第二突起部４４1または第二突起部４４2が、第一突起部３５を乗り越えることが可能である。ユーザＷＭは、作業中の作業姿勢に応じて、保持部材４０の回動範囲を適宜調節可能である。
【００５５】
また、バッテリ２１は、ケーブル２５及びアダプタ２４を介してバッテリ装着部１３に電力を供給する。バッテリ２１からの電力は、ケーブル２５、芯線２６、アダプタ側接続端子９２、及び工具側接続端子を介して、バッテリ装着部１３に供給される。バッテリ装着部１３に供給された電力は、工具本体部１１に供給される。
【００５６】
ユーザＷＭは、電動工具１０のグリップ部１２を手で保持して、電動工具１０を用いる作業を実施する。
【００５７】
以上説明したように、本実施形態によれば、回転軸ＡＸを中心に回動可能に支持部材３０が保持部材４０を支持する。本実施形態によれば、支持部材３０の第一支持部３４の外周面に配置した第一突起部３５と、保持部材４０の第二保持部４２の外周面に配置した第二突起部４４とによって、保持部材４０の回動範囲を規制することができる。本実施形態によれば、保持部材４０が不用意に回動して、ユーザＷＭの作業を阻害したり、ケーブル２５が他の工具などに接触することを規制することができる。このように、本実施形態は、簡易な構成で電動工具の操作性の低下を抑制することができる。
【００５８】
本実施形態によれば、アダプタ２４とケーブル２５とが回動可能であるので、ケーブル２５から電動工具１０に過度な力が作用することが抑制され、電動工具１０の操作性の低下が抑制される。また、ケーブル２５が過度に屈曲することが抑制されるため、ケーブル２５の劣化または損傷が抑制される。
【００５９】
本実施形態は、ユーザＷＭが保持部材４０に力を加えると、第二突起部４４1または第二突起部４４2が、第一突起部３５を乗り越えることができる。これにより、本実施形態は、例えば、バッテリ装置２０を装着する電動工具１０に応じて、または、電動工具１０を使用する姿勢に応じて、保持部材４０のアダプタ２４に対する回動範囲を設定することができる。
【００６０】
ユーザＷＭが電動工具１０を様々な方向に向けながら使用した場合、保持部材４０の第二保持部４２において、芯線２６に作用する応力が大きくなるおそれがあるという課題がある。そこで、ケーブル２５及び芯線２６に作用する応力を低減することが望まれる。
【００６１】
これに対して、本実施形態は、リブ４３によって、芯線２６が第二保持部４２の内部において迂回する。言い換えると、本実施形態では、芯線２６は、リブ４３は、第二保持部４２の内部においてケーブル２５の出口側と反対側の端部４６まで迂回して、緩んだ状態で配置される。このように、本実施形態によれば、電動工具１０の使用中にケーブル２５及び芯線２６に作用する応力を低減することができる。本実施形態は、ケーブル２５及び芯線２６が過度に屈曲することが抑制されるため、ケーブル２５の劣化または損傷が抑制される。
【００６２】
本実施形態は、支持部材３０の基部３１に形成された排水孔３１２によって、スリット３６から基部３１の上面側の格子状の部分に侵入した液体を排出することができる。
【００６３】
本実施形態は、重量なバッテリ２１を含む本体ユニット２３が、ユーザＷＭの背負部２２で背負われて、軽量なアダプタ２４が電動工具１０に装着される。これにより、本実施形態は、電動工具１０の操作性を向上することができる。
【００６４】
［第二実施形態］
図１４を参照しながら、本実施形態に係るバッテリ装置２０Ａについて説明する。図１４は、第二実施形態に係るバッテリ装置の一例を模式的に示す側面図である。バッテリ装置２０Ａは、基本的な構成は第一実施形態のバッテリ装置２０と同様である。以下の説明においては、バッテリ装置２０と同様の構成要素には、同一の符号または対応する符号を付し、その詳細な説明は省略する。
【００６５】
電動工具１０は、直列または並列に接続された２つのバッテリ２１から供給される電力によって作動する。電動工具１０は、２つのバッテリ装着部１３を備える。
【００６６】
バッテリ装置２０Ａは、本体ユニット２３と、第一アダプタ２４Ａと、第二アダプタ２４Ｂと、第一ケーブル２５Ａと、第二ケーブル２５Ｂと、第一アダプタ２４Ａと第一ケーブル２５Ａとを回動可能に連結する連結機構１００Ａと、第二アダプタ２４Ｂと第二ケーブル２５Ｂとを回動可能に連結する連結機構１００Ｂとを備える。なお、第一アダプタ２４Ａと第二アダプタ２４Ｂと第一ケーブル２５Ａと第二ケーブル２５Ｂと連結機構１００Ａと連結機構１００Ｂとを含む構成が、バッテリ用アダプタ装置である。
【００６７】
連結機構１００Ａは、支持部材３０Ａと、保持部材４０Ａとを含む。
【００６８】
支持部材３０Ａは、保持部材４０Ａを第一アダプタ２４Ａに対して回動可能に保持する。支持部材３０Ａは、第一アダプタ２４Ａに配置される。
【００６９】
保持部材４０Ａは、支持部材３０Ａに回動可能に支持される。保持部材４０Ａは、第一ケーブル２５Ａの一方の端部と第二ケーブル２５Ｂの一方の端部とを保持する。保持部材４０Ａは、支持部３３Ａを介して第一アダプタ２４Ａに連結される。
【００７０】
連結機構１００Ｂは、支持部材３０Ｂと、保持部材４０Ｂとを含む。
【００７１】
支持部材３０Ｂは、保持部材４０Ｂを第二アダプタ２４Ｂに対して回動可能に保持する。支持部材３０Ｂは、第二アダプタ２４Ｂに配置される。
【００７２】
保持部材４０Ｂは、支持部材３０Ｂに回動可能に支持される。保持部材４０Ｂは、第二ケーブル２５Ｂの他方の端部を保持する。保持部材４０Ｂは、支持部３３Ｂを介して第二アダプタ２４Ｂに連結される。
【００７３】
以上説明したように、本実施形態は、支持部材３０Ａが保持部材４０Ａを第一アダプタ２４Ａに対して回動可能に保持し、支持部材３０Ｂが保持部材４０Ｂを第二アダプタ２４Ｂに対して回動可能に保持する。このように、本実施形態は、２つのバッテリ２１から電力が供給される電動工具１０に使用可能で、簡易な構成で電動工具の操作性の低下を抑制可能なバッテリ装置２０を提供することができる。
【００７４】
２つのバッテリ２１から電力が供給される電動工具１０に使用するバッテリ装置は、第一ケーブル２５Ａ及び第二ケーブル２５Ｂが回動可能ではないと、ユーザＷＭの作業を阻害したり、他の工具などに接触したりするおそれがあるという課題があった。
【００７５】
これに対して、本実施形態では、第一ケーブル２５Ａが第一アダプタ２４Ａに対して回動可能であり、第二ケーブル２５Ｂが第二アダプタ２４Ｂに対して回動可能であるので、ユーザＷＭが電動工具１０を様々な方向に向けながら使用しても、第一ケーブル２５Ａ及び第二ケーブル２５Ｂが過度に屈曲するおそれを低減することができる。
【００７６】
本実施形態では、電動工具１０と接続される第一ケーブル２５Ａを回動可能に支持する連結機構１００Ａのみ、保持部材４０Ａの回動範囲を規制するようにしてもよい。第二ケーブル２５Ｂは、第一ケーブル２５Ａに追従して動くので、保持部材４０Ａによって第一ケーブル２５Ａの回動範囲を適切に規制することによって、第二ケーブル２５Ｂが不用意に動くことが規制可能であるからである。これにより、本実施形態は、第一ケーブル２５Ａ及び第二ケーブル２５Ｂの動きを適切に規制するとともに、第二アダプタ２４Ｂを簡易な構成にすることができる。
【００７７】
上記では、第二保持部４２に配置されたリブ４３によって、芯線２６を第二保持部４２の内部において迂回させるものして説明したが、これに限定されない。図１５に示すように、保持部材４０において、第一保持部４１の中心軸を、第二保持部４２の中心から出口側と反対側にずらして配置してもよい。図１５は、保持部材の他の例を示す平面図である。これにより、第二保持部４２の内部における芯線２６の長さが長くなるので、電動工具１０の使用中にケーブル２５及び芯線２６に作用する応力を低減することができる。
【００７８】
上記では、支持部材３０の第一支持部３４には１つの第一突起部３５が配置され、保持部材４０の第二保持部４２には２つの第二突起部４４が配置されるものとして説明したが、突起部の数及び配置はこれに限定されない。突起部の数及び配置は、例えば、バッテリ装置２０を装着する電動工具１０に応じて、または、電動工具１０を使用する姿勢に応じて設定する、保持部材４０のアダプタ２４に対する回動範囲に応じて設定すればよい。例えば、第一支持部３４に２つの第一突起部３５が配置され、第二保持部４２に１つの第二突起部４４が配置されてもよい。
【００７９】
上記では、突起部の高さは同程度の高さであってもよいし、異なる高さであってもよい。例えば、２つの第二突起部４４の高さは同程度の高さであってもよいし、異なる高さであってもよい。異なる高さとする場合、ケーブル２５の自重がより作用しやすい突起部は、より高くしてもよい。異なる高さとする場合、より確実に回動を規制したい回動範囲を規定する突起部は、より高くしてもよい。
【符号の説明】
【００８０】
１０…電動工具、１１…工具本体部、１２…グリップ部、１３…バッテリ装着部、１４…工具、１５…ケース、１６…工具装着部、１７…ケース、２０…バッテリ装置、２１…バッテリ、２２…背負部、２３…本体ユニット、２４…アダプタ、２５…ケーブル、３０…支持部材、３１…基部、３３…支持部、３４…第一支持部、３５…第一突起部、３６…スリット、３７…第二支持部、４０…保持部材、４１…第一保持部、４２…第二保持部、４３…リブ、４４…第二突起部、５０…ハウジング、５１…下面、５２…前面、５３…後面、５４…右側面、５５…左側面、５６…上面、５７…開口、９２…アダプタ側接続端子、９３…信号端子、１００…連結機構、Ａ１…第一回動範囲、Ａ２…第二回動範囲、Ａ３…第三回動範囲、ＡＸ…回転軸、ＷＭ…ユーザ。
【図１】
2020021657.tif 000003
【図２】
2020021657.tif 000004
【図３】
2020021657.tif 000005
【図４】
2020021657.tif 000006
【図５】
2020021657.tif 000007
【図６】
2020021657.tif 000008
【図７】
2020021657.tif 000009
【図８】
2020021657.tif 000010
【図９】
2020021657.tif 000011
【図１０】
2020021657.tif 000012
【図１１】
2020021657.tif 000013
【図１２】
2020021657.tif 000014
【図１３】
2020021657.tif 000015
【図１４】
2020021657.tif 000016
【図１５】
2020021657.tif 000017